(57)【要約】  軌道（２２）上で転がることができ、かつ一つの家具の扉（２０）を並進可能に支持するキャリッジに枢軸が付けられた車輪（３０）の、脱線を防止するための方法が説明され、方法は、キャリッジと独立して軌道（２２）上を並進できるスライダ（５０）を、分離することなく軌道（２２）上に取り付けるステップ（ｉ）と、車輪（３０）が転がる状態で脱線することなく、車輪（３０）を軌道（２２）上に維持するため、スライダ（５０）を、車輪（３０）、キャリッジ、または扉（２０）のうちの少なくとも１つに拘束するステップ（ｉｉ）と、を含む。車輪を軌道に据え付けるための簡単かつ効果的な方法が実現される。【選択図】図１
2020530076.tif 000002
【特許請求の範囲】
【請求項１】
軌道（２２）上で転がることができ、かつ一つの家具の扉（２０）を並進可能に支持するキャリッジ上に枢軸が付けられた車輪（３０）の、脱線を防止するための方法であって、
（ｉ）前記キャリッジと独立して前記軌道（２２）上を並進可能なスライダ（５０）を、分離することなく前記軌道（２２）上に取り付けるステップと、
（ｉｉ）前記車輪（３０）が転がる状態で脱線することなく、前記車輪（３０）を前記軌道（２２）上に維持するため、前記スライダ（５０）を、前記車輪（３０）、前記キャリッジ、または前記扉（２０）のうちの少なくとも１つに拘束するステップと
を含む、方法。
【請求項２】
ステップ（ｉｉ）は、前記スライダ（５０）と、前記車輪（３０）、前記キャリッジ、または前記扉（２０）のうちの前記少なくとも１つとの間で、垂直方向の相対移動ができるよう実行される、請求項１に記載の方法。
【請求項３】
ステップ（ｉｉ）において、前記スライダ（５０）は、前記垂直方向の相対移動を可能にするよう、機械的遊隙を有する相互連結部分（４２、７４）によって前記キャリッジに拘束される、請求項２に記載の方法。
【請求項４】
ステップ（ｉｉ）において、前記スライダ（５０）は前記キャリッジに拘束され、前記拘束は相互連結スナップ部分（４２、７４）によって実現される、請求項２または３に記載の方法。
【請求項５】
軌道（２２）上を転がることができ、かつ一つの家具（ＭＣ）の扉（２０）を並進可能に支持するキャリッジ上に枢軸が付けられた車輪（３０）のための、脱線防止システムであって、
分離することなく前記軌道（２２）上に取り付け可能で、前記キャリッジと独立して前記軌道（２２）上を並進可能な、スライダ（５０）と、
前記車輪（３０）が転がる状態で脱線することなく、前記車輪（３０）を前記軌道（２２）上に維持するため、前記スライダ（５０）と、前記車輪（３０）、前記キャリッジ、または前記扉（２０）のうちの少なくとも１つとを拘束するための、拘束要素（４０）と
を特徴とする、脱線防止システム。
【請求項６】
前記スライダ（５０）と、前記車輪（３０）、前記キャリッジ、または前記扉（２０）のうちの前記少なくとも１つとの間の拘束は、前記スライダ（５０）と、前記車輪（３０）、前記キャリッジ、または前記扉（２０）のうちの少なくとも１つとの間で、垂直方向の相対移動ができるよう、機械的遊隙を備える、請求項５に記載のシステム。
【請求項７】
前記スライダ（５０）は前記キャリッジに拘束され、前記スライダ（５０）及び前記キャリッジは、互いに締付け可能なスナップ嵌合部分（４２、７４）を備える、請求項５または６に記載のシステム。
【請求項８】
前記締付け可能な部分は、スナップ嵌合によってスロット（４２）と係合可能な可撓性フィン（７４）を備え、前記機械的遊隙を定めるために、前記スロット（４２）は前記フィン（４２）よりも大きい、請求項７に記載のシステム。
【請求項９】
前記スライダ（５０）は、前記軌道（２２）の断面とともに直進対偶または形状嵌合対偶を形成する連結部分（６２）によって、前記軌道（２２）に連結される、請求項５、６、７、または８のいずれか一項に記載のシステム。
【請求項１０】
前記連結部分は、相補的な方法で前記軌道（２２）の側部を跨ぐよう構成された、２つの分岐したフィン（６２）を備える、請求項９に記載のシステム。
【発明の詳細な説明】
【技術分野】
【０００１】
本発明は、家具のスライド扉のための脱線防止方法及び脱線防止装置に関する。
【０００２】
一般的に家具のスライド扉は、扉をほとんど摩擦なく動かせるよう、直線軌道上を転がる車輪を有するキャリッジによって支持される。共通の課題は、いかにして軌道からの車輪の脱線を防止することである。なぜなら、扉上の偶発的な衝突、または扉が速いスピードで制限位置に到達することが、時として車輪を下方の軌道から係合解除させるのに十分であり、その後いくらか不便を伴う整備を要することになるからである。
【背景技術】
【０００３】
国際特許第２０１２／１５６３３８号において、上述のタイプのキャリッジは、手動で操作されるクランプを備えて記載されている。レバーを介して、クランプを軌道に摺動可能に係合するよう動かすこと、及び車輪の脱離を防止することが可能である。この解決策の主な欠点は、クランプの複雑さ及び費用、その作動中の不便さ、ならびにキャリッジをクランプに適応させる必要があるという制約であり、そのため設計の自由度をやむなく犠牲にしている。
【先行技術文献】
【特許文献】
【０００４】
【特許文献１】国際公開第２０１２／１５６３３８号
【発明の概要】
【発明が解決しようとする課題】
【０００５】
当技術分野のこの状況を改善することが、本発明の主な目的であり、それは添付の特許請求の範囲において定義され、その中で従属請求項は有利な変形を定義する。
【０００６】
別の目的は、使用がより簡単で、かつ高価でなく、及び／または現存のキャリッジに適用可能である、脱線防止方法及び脱線防止装置を提案することである。
【課題を解決するための手段】
【０００７】
本発明の第１の態様は、軌道上で転がることができ、かつ一つの家具の扉を並進可能に支持するキャリッジ上に枢軸が付けられた車輪の、脱線を防止するための方法であり、
（ｉ）キャリッジと独立して軌道上を並進可能なスライダを、分離することなく軌道上に取り付けるステップと、
（ｉｉ）車輪が転がる状態で脱線することなく、車輪を軌道上に維持するため、車輪、キャリッジ、または扉のうちの少なくとも１つにスライダを拘束するステップと、を含む。
【０００８】
したがって、車輪を軌道に据え付けるための簡単かつ効果的な方法が実現される。
【０００９】
ステップ（ｉｉ）は、例えば剛性リンク、コード、またはチェーンを介してなど、多くの方法で実現させることができる。
【００１０】
好ましくはステップ（ｉｉ）は、スライダと、車輪、キャリッジ、または扉のうちの該少なくとも１つとの間で、垂直方向の相対移動ができるよう実行される。これによって、車輪が軌道上に取り付けられた後でさえ、扉を取り付けた後に扉の位置を細かく調節することが可能になる。
【００１１】
好ましくはステップ（ｉｉ）において、スライダはキャリッジに拘束され、より好ましくは、この拘束は、
相互のスナップ連結部分によって、及び／または、
該垂直方向の相対移動を可能にするような機械的遊隙を有する、相互の連結部分によって、実現される。
【００１２】
好ましくはステップ（ｉ）は、スライダの一部分と軌道の断面との間の形状連結を介して実施する。スライダのこの部分、及び軌道の断面は、例えば直進対偶または形状嵌合対偶を形成する。
【００１３】
好ましくはステップ（ｉ）は、ステップ（ｉｉ）の前に実施する。すなわち、
まず、スライダが、軌道から外れないよう、かつキャリッジから独立して、並進可能に軌道上に取り付けられ、次に、
スライダは拘束される。つまりスライダは、車輪が脱線することなく軌道上を転がる位置に、車輪を維持するために、車輪、キャリッジ、または扉のうちの少なくとも１つに接続、または装着される。
【００１４】
スライダと、車輪、キャリッジ、または扉のうちの少なくとも１つとが初めは外されており、かつ例えば家具製品に個別に取り付けられていて、その後互いに結束されて、車輪が脱線することなく軌道上を転がる位置に維持される限りにおいて、ステップ（ｉｉ）に対するステップ（ｉ）の順番を逆にすることができる。
【００１５】
本発明の第２の態様は、軌道上を転がることができ、かつ一つの家具の扉を並進可能に支持するキャリッジ上に枢軸が付けられた車輪のための、脱線防止システムであり、
分離することなく軌道上に取り付け可能で（または取り付けられ）、キャリッジと独立して軌道上を並進可能な、スライダと、
車輪が転がる状態で脱線することなく、車輪を軌道上に維持するよう、スライダと、車輪、キャリッジ、または扉のうちの少なくとも１つとを互いに拘束するための、拘束要素と、を特徴とする。
【００１６】
確認できるように、国際特許第２０１２／１５６３３８号に対して、本システム及び方法は、いかにしてスライダを、軌道上で扉を並進させる構成要素に接続するかにおいて、より自由な選択程度を提供する。
【００１７】
別の利点は、使用されるキャリッジの構造に関わりなく、上述のタイプの任意の扉に脱線防止システムを提供する可能性である。
【００１８】
記述したように、スライダは、キャリッジ、車輪、または扉に関わりなく、軌道上を並進するよう構築される。つまり、キャリッジまたは車輪は、スライダと独立して軌道上を並進できるよう構成される。つまり、スライダ、キャリッジ、及び車輪は別個の部品として、すなわち取り外された、または取り外し可能な一部として構成されるが、その後それらは、上記の拘束段階（ｉｉ）及び／または拘束要素によって一体化されるよう拘束される。
【００１９】
好ましくは、キャリッジ及び／または車輪及び／または扉は、該拘束段階（ｉｉ）及び／または拘束要素のみを介して、スライダで一体化されて保持されるスライダ。
【００２０】
好ましくは、拘束要素、もしくはスライダと、車輪、キャリッジ、もしくは扉のうちの該少なくとも１つとの間の接続または拘束は、スライダと、上記の車輪、キャリッジ、もしくは扉のうちの少なくとも１つとの間で垂直方向の相対移動ができるよう、機械的遊隙を備える。この効果によって、車輪が軌道上に取り付けられた後であっても、扉の組み立てが終了した後で扉の位置を細かく調節できるようになる。
【００２１】
拘束要素は、例えば剛性接続要素、またはコードもしくはチェーンなど可撓性要素など、多くの実施形態を有し得る。
【００２２】
このシステムは、スライダと、車輪、キャリッジ、または扉のうちの該少なくとも１つとの間に復元力を加えるために取り付けられた、弾性要素を備え得る。この効果は、軌道と係合する位置まで車輪を戻すこと、及び車輪と軌道とが瞬時に外れるのを防ぐ、または最小限に抑えることである。
【００２３】
特に、スライダはキャリッジに拘束される。この変形において、スライダ及びキャリッジは、好ましくはスナップ嵌合の相互に固定可能な部分を備える。特に、固定可能な部分は可撓性フィンを備える。この可撓性フィンはスライダに含まれ、キャリッジのスロットにスナップ嵌合で係合可能である。好ましくは、該機械的遊隙を定めるために、スロットはフィン（例えば垂直方向の長軸を有する卵形）よりも大きい寸法を有する。フィン及びスロットの位置は、交換することもできる。
【００２４】
好ましくはスライダは、軌道の断面とともに形状嵌合の閉鎖対偶または直進対偶を形成する、連結部分によって軌道に連結される。特に、この連結部分は、軌道の側部を相補的に受け入れるよう構成された、２つの別個のウイング部を備える。
【００２５】
本発明の利点は、添付の図面を参照して、以下の脱線防止システムの好ましい例の説明から、より明確になる。
【図面の簡単な説明】
【００２６】
【図１】システムの立体図である。
【図２】システムの側面図である。
【図３】キャリッジの構成要素の立体図である。
【図４】スライダの立体図である。
【発明を実施するための形態】
【００２７】
図面において、同じ番号は、同じまたは概念的に類似の部品を示し、要素は使用中として記載される。
【００２８】
家具製品ＭＣは、天井１０及び分割側壁１２を備え、その正面において、関連の区画を閉じるために、扉の１つが他の扉の上を摺動して取り付けられる。この例では３つの扉を示すが、全てに同じ装置が装備されるので、簡略化のために１つの扉のみを参照する。
【００２９】
直線軌道として利用される、波形２２を有する金属製セクションバー１８は、天井１０に固定される。扉は２つの車輪３０を有する。それらはセクションバー１８に沿って整合かつ離隔され、セクションバー１８上で摺動可能である。
【００３０】
各車輪３０は、水平軸Ｖの周りで回転可能で、Ｕ型ブラケット３６の垂直プレート３４上で調節可能なプレート３２に枢軸が付けられる。Ｕ型ブラケット３６は、扉２０にねじ留めされた第２の垂直プレート３８を備える。
【００３１】
端部位置ブロック４０は、プレート３２の隣のプレート３４にねじ留めされ（図３も参照）、垂直の貫通スロット４２が装備される。この例において、スロット４２は卵形または楕円形の断面であり、卵形または楕円形の長軸は垂直で、スロットの軸（深さ）は、波形２２の長手方向に対して平行である。
【００３２】
車輪３０によって占められた波形２２上に、スライダ５０は取り付けられる（図４も参照）。スライダ５０は、ベース部６０及びヘッド部７０を備える。
【００３３】
ベース部６０は水平セグメント６４を備え、その端部から２つの離された垂直分岐部６２が延びる。分岐部６２は、波形２２上に跨ってぴったりと設置され、分岐部６２の間に、波形２２の断面に相補的な形状の空洞を定める。このようにスライダ５０は、波形２２に沿ってかつ波形２２の上で、脱線することなく摺動できる。
【００３４】
ヘッド部７０は垂直ネック部７２を有し、そこから２つの水平の可撓性フィン７４が延びる。可撓性フィン７４はスロット４２の中に挿入可能である。
【００３５】
扉２０を組み立てる間、このフィンをスロット４２の中に挿入することによって、ブロック４０はスライダ５０に接続され、ブロック４０及びスライダ５０が共にセクションバー１８上で摺動できるようになる。
【００３６】
その結果、車輪３０によってセクションバー１８に摺動自在に固定された扉２０も、スライダ５０に拘束される。今や車輪３０は、下方の波形２２に対して拘束されて脱線しない。なぜならスライダ５０は、車輪３０がセクションバー１８から離れ過ぎるのを防止するからである。
【００３７】
扉２０を取り付けるときに細かい調整を可能にするために、ブラケット３６上のプレート３２の調節を容易にするよう、スロット４２の寸法を、フィン７４がスロットの中に小さい垂直の遊隙を伴って摺動できるように決めることが好ましい。例えば、スロット４２は短い垂直誘導部を形成し得る。そこでフィン７４は短い距離を並進できる。
【００３８】
遊隙は、扉２０の小さい公差、及び隣接する扉間の組み立て公差を調整するのに有用である。
【図１】
2020530076.tif 000003
【図２】
2020530076.tif 000004
【図３】
2020530076.tif 000005
【図４】
2020530076.tif 000006
【国際調査報告】
2020530076.tif 000007
2020530076.tif 000008